【事件の表示】
　平成　７年特許願第１３５７４８号「ＬＣＤタッチスクリーンを用いたリモート・コントローラ及びリモート・コントロール方法」拒絶査定に対する審判事件［平成　８年　３月２２日出願公開、特開平　８−　７６９７８］について、次のとおり審決する。
【結　論】
　本件審判の請求は、成り立たない。
【理　由】
Ｉ．手続の経緯・本願発明
　本願は、平成　７年　５月１０日の出願（優先権主張日、１９９４年５月１０日、大韓民国）であって、その請求項１及び請求項２に係る発明は、特許請求の範囲の請求項１及び請求項２に記載された事項により特定されるとおりのものであると認める。
　これに対して、平成１４年１２月１２日付けで拒絶理由を通知し、期間を指定して意見書を提出する機会を与えたが、請求人からは何らの応答もない。
　
ＩＩ．当審の拒絶理由
　当審において、平成１４年１２月１２日付けで通知した拒絶の理由は以下のとおりである。
「本件出願の請求項１及び請求項２に係る発明は、その出願前日本国内において頒布された下記の刊行物１及び刊行物２に記載された発明並びに周知技術に基いて、その出願前にその発明の属する技術の分野における通常の知識を有する者が容易に発明をすることができたものであるから、特許法第２９条第２項の規定により特許を受けることができない。
　
　　　記：引用文献一覧
刊行物１：特開平５?３０７７９３号公報
刊行物２：特開平４?４４４６８号公報
　
（備考）
１．手続の経緯・本願発明
本願は、平成７年５月１０日の出願（優先権主張日、１９９４年５月１０日、大韓民国）であって、請求項１及び請求項２に係る発明は、手続補正書により補正された特許請求の範囲の請求項１及び請求項２の記載からみて、以下の事項により特定されるものである。
「【請求項１】
　制御機器を遠隔制御するリモート・コントローラにおいて、制御機器から現在動作モードに対する情報を伝達されて入力される受信手段と、制御機器の現在動作モードに対する作動可能なキーを表示し、使用者の選択によるキー信号を入力させるＬＣＤタッチスクリーン（「ＬＤＣタッチスクリーン」は「ＬＣＤタッチスクリーン」の誤記と認定。）と、
　キー再配置制御信号に基づいてＬＣＤタッチスクリーンを制御するＬＣＤタッチスクリーン制御手段と、
　制御機器の現在動作モードに対する情報を入力し、入力された現在動作モードに対する制御機器の次の作動可能なキーを判別し、判別されたキーを再配置するための制御信号を出力するキー判別及び再配置手段と、
　前記受信手段から印加される制御機器の現在動作モードに対する情報を前記キー判別及び再配置手段に出力し、ＬＣＤタッチスクリーンからキー信号を入力してカスタム・コードとデータ・コードを発生するマイコンと、
　前記マイコンから印加されるカスタム・コードとデータ・コードを制御機器に出力する送信手段と、
　から構成されることを特徴とするＬＣＤタッチスクリーンを用いたリモート・コントローラ。
【請求項２】
　制御機器を遠隔制御する、ＬＣＤタッチスクリーンを備えたリモート・コントローラにおいて、
　前記制御機器から受信された現在動作モードを判別する段階と、
　現在動作モードにおいて制御機器の次の作動可能な動作モードを判別して選択する段階と、
　前記選択された動作モードをＬＣＤタッチスクリーンに再配置して表示する段階と、
　前記ＬＣＤタッチスクリーンに表示された制御機器の次の作動可能な動作キーを選択する段階と、
　前記選択された動作キーに対するカスタム・コード及びデータ・コードを発生して出力する段階と、
　を含むことを特徴とするＬＣＤタッチスクリーンを用いたリモート・コントロール方法。」
　　
２．刊行物記載の発明
（１）刊行物１には、以下の事項が記載されている。
ア．「【請求項１】使用者とのインターフェースを行い、表示内容を変更可能な表示・入力部と、前記表示・入力部からの情報を受け、入力情報に基づいた処理を行う演算処理部と、前記表示・入力部の表示内容を保存しておく記憶部と、命令を達成するための制御対象部と、前記演算処理部は、命令を解釈した後に制御信号を前記制御対象部に伝達するとともに、新しい前記表示・入力部の表示内容を算出し、前記記憶部に変更保存する手段を具備したことを特徴とする入力装置。」（第２頁左欄第２行〜１１行、特許請求の範囲）
　
イ．「【請求項１３】記憶部に複数の表示内容を記憶し、機器の状態に応じて該記憶部から読みだし表示内容を制御する手段を備えてなることを特徴とする請求項１記載の入力装置。」（第２頁左欄第４１行〜４４行）
　
ウ．「この発明は、使用者とのインターフェースを図り、表示内容を変更可能な表示・入力部と、マイコンと、制御対象部と、記憶部とを具備し、表示・入力部に指示された命令を演算処理して、命令を解釈した後実行し、記憶部に新しい表示・入力部のための情報を保存し、その情報により表示・入力部の表示が可変できるよう構成する。」（（第３頁左欄第２２行〜２８行）
　
エ．「１は、表示と入力部を兼ね、入力部の操作に対応した入力情報を出力する表示・入力部である。２は、表示・入力部１からの入力情報に基づいて、メモリ３に表示情報を、制御対象部４に制御情報を送出するマイコン（演算処理部）である。記憶部３は、表示・入力部１に記録した表示情報を送出する。」（第３頁左欄第４５行〜５０行）
　
オ．「表示・入力部１は、ＶＴＲの動作スイッチを示す液晶ディスプレイ１ａおよび液晶ディスプレイ１ａ上に搭載されたタッチパネル１ｂから構成する。メモリ３には液晶ディスプレイ１ａに表示するスイッチの形状情報を記憶する。ドライバ１ｂはメモリ３にメモリしてある形状情報を読みだし、それに従って液晶ディスプレイ１ａに再生、早送り、巻戻し、録画、停止、イジェクト、ポーズの各スイッチＳａ〜Ｓｇを描画する。使用者は、この表示を見て、希望するスイッチの部分を操作する。液晶ディスプレイ１ａの上にはタッチパネル１ｂがあるので、どの位置が押されたかがわかるようになっている。」（第３頁右欄第１９行〜２８行）
　
カ．「図４は、表示・入力部１の構造図を示したものである。表示・入力部１は液晶ディスプレイ１ａ上にタッチパネル１ｂを重ねた形状になっている。タッチパネル１ｂは押されると、押された座標がわかるようになっている。タッチパネル１ｂと液晶ディスプレイ１ａは直接連動するわけではなく、マイコン２が描画情報と入力座標情報を関連づけている。」（第４頁左欄第３行〜９行）
　
キ．「図７はこの発明の第１の他の実施例をに示すものである。この実施例もＶＴＲに適用した例を示し、リモコン７０に液晶パネル７１とタッチパネル７２を付けて、操作するスイッチの位置やサイズが可変できるようにしている。リモコ
ン７０の各操作スイッチは本体以上に小さく、かつ、数が多くてわかりにくい。そこにこの発明を適用すれば、使用者にあわせてスイッチ内容が変化し、使いやすいリモコンとなる。」（第４頁右欄第２６行〜３３行）
　
ク．「図８は第２の他の実施例を示すものである。この実施例はテレビのリモコン８０に適用し、学習によってキーの順番を（ａ）の状態から（ｂ）の状態に変化させるものである。この実施例では、数字を変えるだけでよく、スイッチの形状にした液晶表示でも、ＬＥＤ表示でも実現できる。」（第４頁右欄第３４行〜３９行）
　
ケ．「図１４はこの発明の第６の実施例を示すものである。この実施例はタッチパネル付きのＶＴＲに応用し、つぎの動作に必要のないスイッチの表示を止めることにより、スイッチの押し間違いを解消するものである。」（第５頁右欄第２６行〜３０行）
　
コ．「図１４（ａ）は再生スイッチＳａを押した後のスイッチ表示を示したものである。再生スイッチＳａを押した後、ＶＴＲは再生状態にあるので、この後に再生スイッチを押す必要はない。また再生状態からダイレクトに録画されることもない。このことは、現状のＶＴＲのほとんどが一時停止を介さなければ録画状態に移行できない、などの誤動作防止機構を備えていることからも明らかである。このように、現在の動作に対して将来必要のないスイッチの表示を消す、あるいは動作させなくすることは、スイッチの押し間違えを減らすし、誤動作の防止となる。」（第５頁右欄第３１行〜４１行）
　
サ．「図１４（ｂ）は早送りスイッチＳｂを押した後のスイッチ表示を示したものである。この場合、つぎの動作に必要のないスイッチは、巻戻しスイッチＳｃ、ポーズスイッチＳｇ、録画スイッチＳｄである。図１４（ｃ）は停止スイッチＳｅを押した後のスイッチ表示を示したものである。この場合、ＶＴＲのテープ駆動系は動作していないから、つぎの動作に必要のないスイッチは、停止スイッチＳｅとポーズスイッチＳｇである。
…このように、将来の動作に必要なスイッチ表示を消してしまう、あるいはスイッチの動作をやめてしまうという機能は、使用者にスイッチの押し間違いを少なくさせ、ＶＴＲの誤動作防止に役立つ。」（第５頁右欄第４２行〜第６頁左欄第４行）
　
　上記のア．〜カ．の事項を参照すると、刊行物１には、
　使用者とのインターフェースを行い、表示内容を変更可能な表示・入力部１と、前記表示・入力部からの情報を受け、入力情報に基づいた処理を行うマイコン（演算処理部）２と、前記表示・入力部の表示内容を保存しておく記憶部３と、命令を達成するための制御対象部４と、前記マイコン（演算処理部）４は、命令を解釈した後に制御信号を前記制御対象部４に伝達する手段と、新しい前記表示・入力部の表示内容を算出し、前記記憶部に変更保存する手段を具備し、記憶部３に複数の表示内容を記憶し、機器の状態に応じて該記憶部から読みだし表示内容を制御する手段を備え、
　表示・入力部１は、前記制御対象部の動作スイッチを示す液晶ディスプレイ１ａ上に搭載されたタッチパネル１ｂから構成される入力装置が記載されている。
　
　上記のキ．及びク．の事項を参照すると、刊行物１には、
　上記入力装置をＶＴＲ又はテレビのリモコンへ応用すること、及び、リモコンに液晶パネルとタッチパネルを付けることが記載されている。
　
　上記のケ．〜サ．の事項を参照すると、刊行物１には、
　タッチパネル付きのＶＴＲに応用され、次の動作に必要のないスイッチの表示を止めてスイッチを再配置する入力装置が記載されている。　
　
　したがって、以上のア．〜ク．の事項を勘案すると、刊行物１には、上記入力装置をリモコンに応用した発明が記載されているから、
　
　制御対象部を遠隔制御するリモコンにおいて、
　使用者が作動可能な制御対象部の動作スイッチを表示し、表示内容を変更可能な液晶ディスプレイ及びタッチパネルと、
　液晶ディスプレイ及びタッチパネルへの入力情報に基づいた処理を行うマイコンとを備え、
　マイコンは、命令を解釈した後に制御信号を前記制御対象部に伝達する手段と、新しい前記表示・入力部の表示内容を算出し、機器の状態に応じて表示内容を制御する手段を備えたリモコンの発明（以下、「刊行物記載の発明Ａ」という。）が記載されている。
　
　また、以上のア．〜カ．及びケ．〜サ．の事項を勘案すると、刊行物１には、上記入力装置において、次の動作に必要のないスイッチの表示を止めてスイッチを再配置する構成が記載されているから、
　
　制御対象部を制御する入力装置において、
　使用者が作動可能な制御対象部の動作スイッチを表示し、表示内容を変更可能な液晶ディスプレイ及びタッチパネルと、
　液晶ディスプレイ及びタッチパネルへの入力情報に基づいた処理を行うマイコンとを備え、
　マイコンは、命令を解釈した後に制御信号を前記制御対象部に伝達する手段と、新しい前記表示・入力部の表示内容を算出し、機器の状態に応じて表示内容を制御する手段を備え、
　次の動作に必要のないスイッチの表示を止めてスイッチを再配置する入力装置の発明（以下、「刊行物記載の発明Ｂ」という。）が記載されている。
　
（２）刊行物２には、以下の事項が記載されている。
ア．「被制御機器の動作モードを指令する光または超音波の指令信号を送出する遠隔制御器と、上記被制御機器に設けられ上記指令信号を受信して動作モード指令信号に変換する受信部とを備えたリモートコントロール装置において、上記被制御機器に設けられ当該被制御機器の動作モードを示す光または超音波の動作モード表示信号を送出する送信部と、上記遠隔制御器に設けられ上記動作モード表示信号を受信して表示信号に変換する受信部と、その表示信号を映出する表示部とを備えたことを特徴とするリモートコントロール装置。」（第１頁左下欄第５行〜１５行、特許請求の範囲）
　
イ．「この発明に係るリモートコントロール装置は、機器本体に設けられて自己の動作モードを表わす光又は超音波信号を送出する送信部と、遠隔制御器に設けられてこの送信部からの信号を受信して表示部に表示する受信部を備えた点を特徴とする。」（第２頁右上欄第２０行〜左下欄第５行）
　
ウ．「（１７）はＴＶ受像機（２）内に設けられた送信部で、送信回路（１８）と発光ダイオード（１９）で構成されている。（２０）は遠隔制御器（１）内に設けられた受光部で、光検知器（２１）と受信回路（２２）で構成され、表示部（１６）には受信回路（２２）の出力信号が表示される。」（第２頁左下欄第１６行〜右下欄第１行）
　
エ．「同時に制御部（１３）は、当該ＴＶ受像機（１３）の動作モードを示す信号、たとえば音量のレベルや、チャンネルのポジション等の信号を送信回路（１８）に送出する。送信回路（１８）はこの信号で発光ダイオード（１４）を発光させ、送信窓（９）を通して遠隔制御部（１）の光検知部（２１）に光信号を発信する。光検知器（２１）はこの光信号を電気信号に変換して受信回路（２２）に出力し、液晶セル、またはＬＥＤで構成された表示部（１９）にＴＶ受像機（２）の動作モードが表示される。」（第２頁右下欄第９行〜１８行）
　
　上記のア．〜エ．の事項を参照すると、刊行物２には、
　被制御機器からの該被制御機器の動作モード表示信号を受信して表示信号に変換する受信部と、その表示信号を映出する表示部とを備えたリモートコントロール装置の発明（以下、「刊行物２記載の発明」という。）が記載されている。
　
３．対比・判断
［請求項１］に係る発明について
　
（１）対比
　請求項１に係る発明と刊行物１記載Ａの発明とを対比すると、
ア．刊行物１記載の発明Ａの「制御対象部」、「リモコン」は、請求項１に係る発明の「制御機器」、「リモート・コントローラ」に相当する。
　
イ．刊行物１記載の発明Ａの「液晶ディスプレイ及びタッチパネル」は、使用者が作動可能な制御対象部の動作スイッチを表示し、表示内容を変更可能なものであり、制御機器に対する作動可能なキーを表示し、使用者の選択によるキー信号を入力させる点では、請求項１に係る発明の「ＬＣＤタッチスクリーン」と一致する。
　
ウ．刊行物１記載の発明Ａの「マイコン」は、液晶ディスプレイ及びタッチパネルへの入力情報に基づいた処理を行い、また、制御信号を前記制御対象部に伝達する手段と新しい前記表示・入力部の表示内容を算出し、機器の状態に応じて表示内容を制御する手段を備えたものであり、
　請求項１に係る発明の、「ＬＣＤタッチスクリーンを制御するＬＣＤタッチスクリーン制御手段」、「ＬＣＤタッチスクリーンからキー信号を入力して制御コードを発生するマイコン」及び「制御コードを制御機器に送信する送信手段」に相当する。
　
エ．刊行物１記載の発明Ａの「液晶ディスプレイ及びタッチパネルを備えたリモコン」は、請求項１に係る発明の「ＬＣＤタッチスクリーンを用いたリモート・コントローラ」に相当する。
　
　したがって、両者は、以下の点で一致し、以下の各点で相違する。
＜一致点＞
　制御機器を遠隔制御するリモート・コントローラにおいて、制御機器に対する作動可能なキーを表示し、使用者の選択によるキー信号を入力させるＬＣＤタッチスクリーンと、
　ＬＣＤタッチスクリーンを制御するＬＣＤタッチスクリーン制御手段と、
　ＬＣＤタッチスクリーンからキー信号を入力して制御コードを発生するマイコンと、
　前記マイコンから印加される制御コードを制御機器に出力する送信手段と、
　から構成されるＬＣＤタッチスクリーンを用いたリモート・コントローラ。
　
＜相違点＞
（ア）リモート・コントローラが、
　請求項１に係る発明では、制御機器から現在動作モードに対する情報を伝達されて入力される受信手段を備えているのに対し、
　刊行物１記載の発明Ａでは、受信手段を備えていない点。
　
（イ）ＬＣＤタッチスクリーンが、
　請求項１に係る発明では、現在動作モードに対する作動可能なキーを表示するのに対し、
　刊行物１記載の発明Ａでは、現在動作モードに対する作動可能なキーを表示するとの特定がない点。
　
（ウ）ＬＣＤタッチスクリーン制御手段が、
　請求項１に係る発明では、キー再生制御信号に基づいて制御するのに対し、
　刊行物１記載の発明Ａでは、キー再生制御信号に基づいて制御していない点。
　
（エ）リモート・コントローラが、
請求項１に係る発明では、制御機器の現在動作モードに対する情報を入力し、入力された現在動作モードに対する制御機器の次の作動可能なキーを判別し、判別されたキーを再配置するための制御信号を出力するキー判別及び再配置手段を備えているのに対し、
　刊行物１記載の発明Ａでは、次の作動可能なキーを判別し、判別されたキーを再配置するための制御信号を出力するキー判別及び再配置手段を備えていない点。
　
（オ）マイコンが、
　請求項１に係る発明では、前記受信手段から印加される制御機器の現在動作モードに対する情報を前記キー判別及び再配置手段に出力するのに対し、
　刊行物１記載の発明Ａでは、受信手段から印加される制御機器の現在動作モードに対する情報を前記キー判別及び再配置手段に出力していない点。
　
（カ）マイコンが発生し、送信手段が制御機器に送信する制御コードが、
　請求項１に係る発明では、カスタム・コードとデータ・コードであるのに対し、
　刊行物１記載の発明Ａでは、カスタム・コードとデータ・コードであるとの特定がない点。
　
（２）判断
　上記の相違点（ア）については、
　刊行物２には、被制御機器からの該被制御機器の動作モード表示信号を受信して表示信号に変換する受信部と、その表示信号を映出する表示部とを備えたリモートコントロール装置の発明（刊行物２記載の発明）が記載され、
　刊行物２記載の発明には、制御機器から現在動作モードに対する情報を伝達されて入力される受信手段を備えたリモートコントロールが示されているから、
　
　上記刊行物２記載の発明を参照すれば、刊行物１記載の発明Ａのリモコンを、制御機器から現在動作モードに対する情報を伝達されて入力される受信手段をも備えるように変更することは当業者が容易に推考することができたものである。
　
　また、上記の相違点（イ）〜（エ）については、同じ刊行物１には、
　制御対象部を制御する入力装置において、
　使用者が作動可能な制御対象部の動作スイッチを表示し、表示内容を変更可能な液晶ディスプレイ及びタッチパネルと、
　液晶ディスプレイ及びタッチパネルへの入力情報に基づいた処理を行うマイコンとを備え、
　マイコンは、命令を解釈した後に制御信号を前記制御対象部に伝達する手段と、新しい前記表示・入力部の表示内容を算出し、機器の状態に応じて表示内容を制御する手段を備え、
　次の動作に必要のないスイッチの表示を止めてスイッチを再配置する入力装置の発明（刊行物記載の発明Ｂ）が記載され、
　刊行物記載の発明Ｂには、入力装置の液晶ディスプレイ及びタッチパネルに、次の動作に必要のないスイッチの表示を止めてスイッチを再配置する構成が示されているから、
　
　上記刊行物１記載の発明Ｂを参照すれば、刊行物１記載の発明のリモコンにおいても、同様な構成を採用して、液晶ディスプレイ及びタッチパネルに現在動作モードに対する作動可能なキーを表示し、制御機器の現在動作モードに対する情報を入力し、入力された現在動作モードに対する制御機器の次の作動可能なキーを判別し、判別されたキーを再配置するための制御信号を出力して、キー再生制御信号に基づいて制御するように構成し、上記の（イ）〜（エ）の構成とすることは当業者が容易に推考することができたものである。
　
　また、上記（オ）の相違点の、受信手段から印加される制御機器の現在動作モードに対する情報を前記キー判別及び再配置手段に出力する点については、
　刊行物２記載の発明では、リモコンは、被制御機器の動作モードを受信するのであるから、刊行物１記載の発明の動作モードに対応して次のスイッチを再配置る場合に、受信した現在動作モードに対する情報を次のスイッチの配置に用いることは当然のことであって、
　上記（ア）のように、刊行物１記載の発明を、リモコンに制御機器の現在動作モードに対する情報を受信する刊行物２記載の発明の構成とした場合には、
　受信手段から印加される制御機器の現在動作モードに対する情報を前記キー判別及び再配置手段に出力するようにすることは、当業者が容易に推考することができたものである。
　
　更に、上記（カ）の相違点の制御コードとして、カスタム・コードとデータ・コードを用いる点は、リモートコントローラの制御コードとして周知技術（例、特開昭６１?２２４５９８号公報、特開昭６３?９８３００号公報参照）であり、制御コードをカスタム・コードとデータ・コードに特定することは当業者が適宜なし得たことである。
　
　以上を取り纏めると、刊行物１には、
　ＬＣＤタッチスクリーンを用いたリモート・コントローラの発明、及び、制御機器の次の作動可能なキーを判別して再配置する発明が記載されていて、請求項１に係る発明の基本的な構成が開示されており、
　
　請求項１に係る発明は、御機器からの現在動作モードの受信手段を備える点と制御コードがカスタム・コードとデータ・コードである点が、刊行物１記載の発明と相違するものの、
　
　これらの相違点は、刊行物２記載の技術、あるいは周知技術に過ぎず、これらの技術を刊行物１記載のリモート・コントローラの発明に適用することは容易であるから、
　請求項１に係る発明は、刊行物１及び刊行物２記載の発明並びに周知技術に基いて当業者が容易に発明をすることができたものである。
　
［請求項２］に係る発明について
　請求項２に係る発明は、請求項１に係る発明を各段階を含むリモート・コントロール方法として記載したものに相当し、請求項１に係る発明と対応した構成を備えているから、
　
　請求項１に係る発明と同様、刊行物１及び刊行物２記載の発明並びに周知技術に基いて当業者が容易に発明をすることができたものである。
　
４．むすび
　以上のとおりであるから、請求項１及び請求項２に係る発明は、刊行物１及び刊行物２に記載された発明並びに周知技術に基いて当業者が容易に発明をすることができたものと認められ、特許法第２９条第２項の規定により特許を受けることができない。」　
　
ＩＩＩ．むすび
　上記の拒絶理由は妥当なものと認められるので、本願は、この拒絶理由によって拒絶すべきものである。
　よって、結論のとおり審決する。